(57)【要約】【課題】部材の加工が極めて少なく板厚も薄く、分解組立が簡便で、使い捨てが可能なほど低価格で製造できる組立式容器を提供する。【解決手段】  本発明の組立式容器は、平板で矩形の底板６、前側板２、後側板３、左側板４および右側板５を直方体に緊締材８で縛着したものである。底板６には両側の左右端近くにそれぞれ切欠溝６ａ，６ｂ，６ｃ，６ｄを設けるとともに左右端の中央部に切欠中溝６ｅ，６ｆを設ける。また、前側板２および後側板３の下端には底板の切欠溝６ａ，６ｂ，６ｃ，６ｄに対向する位置に切欠溝２ｃ，２ｄおよび３ｃ，３ｄを設けるとともに上端にも対向する位置に切欠溝２ａ，２ｂおよび３ａ，３ｂを設ける。さらに、左側板４および右側板５にはそれぞれ上端および下端に長手方向の凹溝４ｂ，５ｂを設ける。そして、緊締材８を、これらの溝に係合させて巻回して縛着する。【選択図】  図１
2008174242.tif 000002
【特許請求の範囲】
【請求項１】
平板で矩形の底板、前側板、後側板、左側板および右側板を緊締材で上方が開放された直方体に縛着した組立式容器であって、該底板には両側の左右端近くにそれぞれ切欠溝を設けるとともに左右端の中央部に切欠中溝を設け、該前側板および後側板の下端には該底板の切欠溝に一致する位置に切欠溝を設けるとともに上端の対向する位置にも切欠溝を設け、該左側板および右側板にはそれぞれ上端および下端に長手方向の凹溝を設け、該緊締材は、該切欠溝、切欠中溝および凹溝に係合させて巻回して縛着したことを特徴とする組立式容器。
【請求項２】
前記緊締材の縛着は、前側板と後側板に、左側板と右側板を位置合わせして、緊締材を前記切欠溝および凹溝に係合させて巻回して縛着し、これに底板を位置合わせして別の緊締材で前記切欠溝と切欠中溝に係合させて八の字状に巻き付けて縛着したことを特徴とする請求項１記載の組立式容器。
【請求項３】
前記底板、前側板、後側板、左側板および右側板を塗装や飾りのない木製とし、容器内に上方から落し込める寸法の蓋板を備え押し寿司器として使用することを特徴とする請求項１記載の組立式容器。
【請求項４】
前記底板、前側板、後側板、左側板および右側板を塗装や飾りのない木製とし、左側板と右側板を前側板と後側板より蓋板の板厚分低くし、左側板と右側板の上端に載る長さの蓋板を備え食品容器として使用することを特徴とする請求項１記載の組立式容器。
【発明の詳細な説明】
【技術分野】
【０００１】
本発明は、組立式容器に係り、例えば、押し寿司器や弁当箱などの食品容器として好適な木製の組立式容器に関するものである。
【背景技術】
【０００２】
従来、押し寿司を製造する際には、図９に示すような木製の押し寿司器が用いられている。この押し寿司器２０は、上面および下面が開口された枠体２１と、底板に足２２ａが固設された底部材２２と、押し蓋２３とから構成されている。なお、底部材２２は、枠体２１に固設されておらず、底板は枠体２１の枠内に嵌合し足２２ａが枠体の下端に係止するように形成されている。
そして、押し寿司を造る場合は、底面上にタネを載置して、その上に酢飯を載せ、押し蓋２３で加圧して圧縮し、所定時間経過後にでき上がった押し寿司を取出している。なお、図９において２１ａは、押し寿司器２０から押し寿司を容易に取り出せるように、押し寿司に包丁を入れるための切欠溝である。
この押し寿司器２０の枠体２１の四隅は「升ぐみ」と称される組み付けによっており、押し蓋２３の押しや締めの圧力に耐えるように板厚を厚くするとともに、釘や接着剤を用いて組み付けられている。
このため、枠材の加工や組み付けに手間がかかり高価なものとなるばかりでなく、分解できないので、使用後の洗浄に手間がかかる。
【０００３】
一方、押し寿司器にはないが、枠体を「升ぐみ」や釘、接着剤などを使用しないで組み立てる組立式容器が知られている。これには、側板の両端部の一方の上部と他方の下部に連結切欠を垂直に設け、この連結切欠を組み合わせて嵌合し、底板を側板に設けた段部に係止させるようにした井桁状のもの（特許文献１）や、縁部を折り曲げた底座に前後の側板を立設し左右の側板を嵌合するように組み込んだもの（特許文献２）がある。
【０００４】
【特許文献１】特開２００４−６７２３４号公報
【特許文献２】登録実用新案第３０４５０１１号公報
【発明の開示】
【発明が解決しようとする課題】
【０００５】
押し寿司器や弁当箱など食品容器は、水分がほどよく調整されることから木製が好まれているが、使用後の洗浄が面倒である。特に、「升ぐみ」や接着剤を用いたものは洗浄に多くの時間を費やしている。そこで、割りばしのように使い捨てできるように安価に製造するか、簡便に板状のもに分解できるようにして洗浄し易くすることが考えられる。
【０００６】
特許文献１の組立容器は、組立の簡便性に優れているが、底板を側板に設けた底板支持段部に支持させているので、側板の板厚が大きくなり、加工が多く加工精度も必要で製造コストが嵩むという欠点がある。
特許文献２の組立式弁当箱は、底座、側板とも端部の折り曲げ加工があり、左右の側板は二叉片を形成して前後の側板に垂直方向にスライドさせて係止させており、各部品の加工が複雑であり、高い精度が要求され、高価なものとなっている。
【０００７】
そこで、本発明は、部材の加工が極めて少なく板厚も薄く、分解組立が簡便で、使い捨てが可能なほど低価格で製造できる組立式容器を提供することを目的としている。
【課題を解決するための手段】
【０００８】
本発明の組立式容器は、上記の目的を達成するため次の手段を採った。すなわち、平板で矩形の底板、前側板、後側板、左側板および右側板を緊締材で上方が開放された直方体に縛着した組立式容器であって、該底板には両側の左右端近くにそれぞれ切欠溝を設けるとともに左右端の中央部に切欠中溝を設け、該前側板および後側板の下端には該底板の切欠溝に一致する位置に切欠溝を設けるとともに上端の対向する位置にも切欠溝を設け、該左側板および右側板にはそれぞれ上端および下端に長手方向の凹溝を設け、該緊締材は、該切欠溝、切欠中溝および凹溝に係合させて巻回して縛着したことを特徴としている。
【０００９】
底板、前側板、後側板、左側板、右側板および蓋板の材質や大きさは、とくに限定しない。また、用途も食品容器のみならず、例えば、搬送容器や人形の収納ケースなど種々の物に広く使用できる。
押し寿司器の場合は、請求項３に記載のように、底板、前側板、後側板、左側板および右側板を塗装や飾りのない木製とし、容器内に上方から落し込める寸法の蓋板を備えたものとする。また、弁当箱など食品容器の場合は、請求項４に記載のように、底板、前側板、後側板、左側板および右側板を塗装や飾りのない木製とし、左側板と右側板を前側板と後側板より蓋板の板厚分低くし、左側板と右側板の上端に載る長さとするとよい。
【００１０】
底板に設ける切欠中溝は貫通した孔でもよい。また、左側板と右側板の凹溝は断面がＵ字状に限らず、Ｖ字状としてもよい。
緊締材の材質や太さは特に限定しないが、食品容器の場合は径１ｍｍ程度の料理用タコ糸がよい。
【００１１】
緊締材の縛着は、各部材の切欠溝、凹溝、切欠中溝に順次係合させて巻回して縛ればよいが、請求項２に記載のように、まず、前側板と後側板に、左側板と右側板を位置合わせして、前記切欠溝および凹溝に緊締材を係合させて巻回して縛着する。そして、これに底板を位置合わせして別の緊締材で前記切欠溝と切欠中溝に係合させて八の字状に巻き付けて縛着するとよい。なお、巻回は２回で十分である。
【発明の効果】
【００１２】
本発明の組立式容器は、底板には両側の左右端近くにそれぞれ切欠溝と左右端の中央部に切欠中溝を設け、前側板および後側板の上端および下端には切欠溝を設け、左側板および右側板にはそれぞれ上端および下端に長手方向の凹溝を設け、緊締材をこれらの溝に係合させて巻回して縛着したので、各部材の加工が少なく簡単で薄くすることができ、組み付けおよび分解も簡便なものにできるのみならず、使い捨てが可能なほど安価に製造できる。
【００１３】
緊締材の縛着は、前側板と後側板に、左側板と右側板を位置合わせして、切欠溝および凹溝に緊締材を係合させて巻回して縛着したものを、底板を位置合わせして別の緊締材で前記切欠溝と切欠中溝に係合させて八の字状に巻き付けて縛着すれば（請求項２）、簡便かつ強固に緊締することができる。
【００１４】
底板、前側板、後側板、左側板、右側板を塗装や飾りのない木製とし、容器内に上方から落し込める寸法の蓋板を備え押し寿司器とすれば（請求項３）、緊締材を外せば簡便に分解できるので、十分な洗浄ができる。また、「升ぐみ」や釘を使用しないので、加工が簡素で板厚を薄くでき、安価なものになり、使い捨ても可能となる。
【００１５】
底板、前側板、後側板、左側板、右側板を塗装や飾りのない木製とし、左側板と右側板を前側板と後側板より蓋板の板厚分低くし、左側板と右側板の上端に載る長さの蓋板を備え弁当箱など食品容器とすれば（請求項４）、容器自身が食品の水分をほどよく調整するので、ベタベタした感じにならず、美味しさを保つことができる。
【発明を実施するための最良の形態】
【００１６】
本発明の組立式容器の実施の形態を、図１〜図６に基づいて具体的に説明する。
図１は、本発明の組立式容器を押し寿司器とした場合の実施の形態の全体を示す斜視図で、図２〜図５は構成部品の斜視図である。
組立式容器１は、前側板２、後側板３、左側板４、右側板５および底板６を組み合わせて緊締材８で、ほぼ直方体状に縛着されている。
前側板２と後側板３、左側板４と右側板５は同じものであり、前側板２を図２に、左側板４を図３に示している。
【００１７】
底板６は、図４に示すように、幅８２ｍｍ、長さ２２０ｍｍ、厚さ５ｍｍの矩形状の平板で、長手方向の両端部近くにそれぞれ板幅方向へ切欠溝６ａ，６ｂ，６ｃ，６ｄが設けられ、さらに、左右端の板幅中央部にそれぞれ長手方向に切欠中溝６ｅ，６ｆが設けられている。この切欠溝６ａ〜６ｄは溝幅が３ｍｍで長さが４ｍｍ、また、切欠中溝６ｅ，６ｆは、溝幅が３ｍｍで長さが９ｍｍである。
前側板２は、幅４０ｍｍ、長さ２２０ｍｍ、厚さ５ｍｍの矩形状の平板で、長手方向の両端部近くにそれぞれ板幅方向へ切欠溝２ａ，２ｂ，２ｃ，２ｄが設けられ、図示してないが、後側板３は、同じく、切欠溝３ａ，３ｂ，３ｃ，３ｄが設けられている。
左側板４は、幅４０ｍｍ、長さ７２ｍｍ、厚さ１０ｍｍの矩形状の平板で、両板幅端面にそれぞれ凹溝４ａ，４ｂが設けられ、図示してないが、右側板５は、同じく、凹溝５ａ，５ｂが設けられている。
【００１８】
蓋板７は、図５に示すように、幅７２ｍｍ、長さ１８３ｍｍ、厚さ５ｍｍの矩形状の平板で、組み立てた容器の上面に置いたとき、内嵌し、落し込むことができる。
なお、組立式容器１を構成する前側板２、後側板３、左側板４、右側板５、底板６および蓋板７は、塗装や飾りといったものは行っていない。
【００１９】
次に、組立式容器１の組立について説明する。
まず、前側板２と後側板３とを平行に立設し、間に左側板４と右側板５を入れて、上方と下方が開放された枠体状にして中央部に輪ゴムを掛けて保持する。
次に、切欠溝２ａと切欠溝３ａと凹溝４ａが一致し、かつ、切欠溝２ｃと切欠溝３ｃと凹溝４ｂが一致するように位置合わせして、緊締材８で切欠溝２ａ、切欠溝３ａ、凹溝４ａ、切欠溝２ｃ、切欠溝３ｃおよび凹溝４ｂに順次係止させて２回巻回して縛着する。
同様に、右側板５を前側板２と後側板３に緊締材８で巻回して縛着する。これにより、図６の状態となる。なお、輪ゴムは縛着したら外す。
【００２０】
次に、底板６の上に図６の状態に組んだものを置いて、切欠溝３ｃと切欠溝６ａ、切欠溝２ｃと切欠溝６ｃが一致し、切欠溝３ｄと切欠溝６ｂ、切欠溝２ｄと切欠溝６ｄが一致するように位置合わせして、輪ゴムを掛けて保持し、緊締材８を巻回して縛着する。
この縛着は、図７に示すように、緊締材８を切欠溝２ａから左側板４の外側面を斜めに伝い、切欠中溝６ｅを通過して底板６の裏面を伝い、切欠溝６ａおよび切欠溝３ｃを係止して後側板３の外側を上方へ伝い切欠溝３ａに係止し、左側板４の外側面を伝い切欠中溝６ｅを通過して底板６の裏面を伝い、切欠溝６ｃおよび切欠溝２ｃを係止して前側板２の外側を上方へ伝って一廻りさせ、これを繰り返しもう一廻りさせて縛着する。
次に、同様にして右側板５側を緊締する。なお、緊締材８はここでは、径１．０ｍｍの料理用タコ糸を使用している。
【００２１】
この組立式容器を用いて押し寿司を作るときは、容器内に寿司材を入れ、蓋板７を上方に載せ、その上に重しを置いて蓋板７を容器内に嵌入させる。なお、重しの代わりに、合成樹脂製の締結バンド（締具が付設した荷造り用のものがよい）を左右の２個所に懸けて締め込んでもよい。締め込み量を大きくしたい場合は、蓋板７と締結バンドの間に詰め（例えば、割りばし）を介在させるとよい。
使用後は、洗浄して保管するが、緊締材８を切って、各部材に分解すれば、洗浄も簡便にでき、保管も分解した状態で行えばスペースを取らず扱い易い。
【００２２】
次に、組立式容器が食品容器である弁当箱である場合の実施の形態について、図８に基づいて説明する。
この基本的な構成は上記の押し寿司器としての組立式容器１と同じであり、図において上記と同じものは同じ符号を用いている。
この組立式容器１０は、前側板１２、後側板１３、左側板１４、右側板１５および底板６を組み合わせて緊締材８で縛着して上方が開放された直方体状に形成され、これに蓋板１７が嵌合するように構成されている。
【００２３】
底板６は、上記のものと同じであり、前側板１２と後側板１３は、上記の前側板２と後側板３と同寸法の矩形状の平板で、切欠溝１２ａ，１２ｂ，１２ｃ，１２ｄと、切欠溝１３ａ，１３ｂ，１３ｃ，１３ｄが設けられているが、切欠溝１２ａ、１２ｂと切欠溝１３ａ、１３ｂの長さが上記のものよりそれぞれ５ｍｍほど大きくしている。
左側板１４および右側板１５は、左側板４および右側板５より幅が５ｍｍ狭い矩形状の平板で、凹溝１４ａ，１４ｂおよび凹溝１５ａ，１５ｂが設けられている。また、蓋板１７は、蓋板７に比べ、長さが底板６と同じ２２０ｍｍであるほかは同じである。
【００２４】
組立式容器１０の組立は、上記と同じに緊締材８を巻回して縛着している。また、蓋板１７は、容器の上面に置いたとき、幅方向は前側板１２と後側板１３の内側に嵌合し、左側板１４と右側板１５の上端に載る。この弁当箱を持ち歩くときは、中央部を飾り紐などで縛って固定する。
【００２５】
なお、上記実施の形態の説明では、部品の大きさを具体的な寸法で示したが、より発明を理解できるように配慮したものであり、目的に応じて適宜選定されるべきものであることは言うまでもない。
【図面の簡単な説明】
【００２６】
【図１】本発明の組立式容器の実施の形態を示す全体斜視図である。
【図２】同、前側板の斜視図である。
【図３】同、左側板の斜視図である。
【図４】同、底板の斜視図である。
【図５】同、蓋板の斜視図である。
【図６】同、前側板と後側板に左側板と右側板を組み付けた状態を示す斜視図である。
【図７】同、底板を緊締材で組み付ける状態を示す側面図である。
【図８】同、食品容器の全体斜視図である。
【図９】従来の押し寿司器を示す全体斜視図である。
【符号の説明】
【００２７】
１  組立式容器
２  前側板
２ａ，２ｂ，２ｃ，２ｄ  切欠溝
３  後側板
３ａ，３ｂ，３ｃ，３ｄ  切欠溝
４  左側板
４ａ，４ｂ  凹溝
５  右側板
５ａ，５ｂ  凹溝
６  底板
６ａ，６ｂ，６ｃ，６ｄ  切欠溝
６ｅ，６ｆ  切欠中溝
７  蓋板
８  緊締材
１０  食品容器
１２  前側板
１２ａ，１２ｂ，１２ｃ，１２ｄ  切欠溝
１３  後側板
１３ａ，１３ｂ，１３ｃ，１３ｄ  切欠溝
１４  左側板
１４ａ，１４ｂ  凹溝
１５  右側板
１５ａ，１５ｂ  凹溝
１７  蓋板
２０  押し寿司器  
２１  枠体
２１ａ  切欠溝
２２  底部材
２２ａ  足
２３  押し蓋
【図１】
2008174242.tif 000003
【図２】
2008174242.tif 000004
【図３】
2008174242.tif 000005
【図４】
2008174242.tif 000006
【図５】
2008174242.tif 000007
【図６】
2008174242.tif 000008
【図７】
2008174242.tif 000009
【図８】
2008174242.tif 000010
【図９】
2008174242.tif 000011